(57)【要約】【課題】多人数で利用するテーブル等に用いる背もたれ付きの椅子において、テーブルの天板下に完全収納できるようにする。【解決手段】座３と背もたれ４とを含む椅子１であって、座３の後端部３Ｃと背もたれ４の下端部４Ｃとを左右方向水平軸Ｈまわりに回動可能に連結するヒンジ５と、背もたれ４を立てた背もたれ使用形態Ａで、背もたれ４が後方へ倒れるのを防止する倒れ防止ストッパとを備える。背もたれ４を立てた背もたれ使用形態Ａと、座３に背もたれ４が当接するように背もたれ４を前方へ回動させた背もたれ不使用形態とを切り替えることができる。よって、背もたれ使用形態Ａにして、会議用テーブル等の多人数で利用するテーブルにおいて背もたれ付きの椅子１として使用した後、不使用時には前記背もたれ不使用形態にすることにより、椅子全体をテーブルの天板下に容易に完全収納できる。【選択図】図２
2018023633.tif 000002
【特許請求の範囲】
【請求項１】
座と背もたれとを含む椅子であって、
前記座の後端部と前記背もたれの下端部とを左右方向水平軸まわりに回動可能に連結するヒンジと、
前記背もたれを立てた背もたれ使用形態で、前記背もたれが後方へ倒れるのを防止する倒れ防止ストッパとを備え、
前記背もたれ使用形態と、前記座に前記背もたれが当接するように前記背もたれを前方へ回動させた背もたれ不使用形態とを切り替え可能となしたことを特徴とする椅子。
【請求項２】
前記ヒンジが、さらに前記背もたれを前記水平軸と直交する直交軸まわりに少なくとも１８０度回動可能に支持する２軸ヒンジであり、
前記背もたれ使用形態で、前記背もたれが前記直交軸まわりに回動するのを防止する回動防止ストッパを備えてなる請求項１記載の椅子。
【請求項３】
前記背もたれ使用形態で、前記背もたれの前面をクッション面とし、前記背もたれの後面を平板面としてなる請求項２記載の椅子。
【請求項４】
脚と座とを含む椅子であって、
前記脚を下面に取り付けた支持部材と、
前記支持部材の周縁側端部に取り付けた２軸ヒンジと、
前記２軸ヒンジに連結した、表裏面の一方がクッション面で他方が平板面である、前記支持部材上に載置した前記座とを備え、
前記２軸ヒンジまわりに前記座を起こして垂直軸まわりに１８０°回動し、前記座を倒して前記支持部材上に載置することにより、前記座の表裏面を入れ替え可能となしたことを特徴する椅子。
【発明の詳細な説明】
【技術分野】
【０００１】
本発明は、背もたれ付き等の椅子に関する。
【背景技術】
【０００２】
会議用テーブルや食堂用テーブル等の多人数で利用するテーブル等に用いる背もたれ付きの椅子（例えば、特許文献１ないし３参照）は、未使用時には、テーブルの天板下に座面を入れた状態で収納される。
あるいは、スタッキング可能な椅子を上下に重ね合わせるようにスタッキングすること（例えば、特許文献２の図９参照）、又は、折り畳み可能な椅子の座板を跳ね上げ、前フレーム及び後フレームを接近させるように折り畳んでネスティングすること（例えば、特許文献３の図３参照）により、前記テーブルの天板下とは別の収納スペースに収納される。
【先行技術文献】
【特許文献】
【０００３】
【特許文献１】実用新案登録第２５５８４０１号公報
【特許文献２】特開平９−１４０５０３号公報
【特許文献３】登録実用新案第３０４６１５０号公報
【発明の概要】
【発明が解決しようとする課題】
【０００４】
背もたれ付きの椅子の座面をテーブルの天板下に入れて収納する場合、椅子の背もたれが天板に当たる。
よって、天板の手前側端縁に椅子の背もたれの背当たり面が当たり、天板面よりも背もたれの上部が上方へ突出した状態となり、テーブルの天板下に椅子全体を完全収納することはできない。
また、スタッキングやネスティングする場合、別途収納スペースが必要になるとともに、使用時及び収納時で出し入れの手間が掛かる。
その上、背もたれ付きの椅子であっても、背もたれや肘掛けの無い椅子であるスツールであっても、それらの使用態様は固定的であり、同じ家具で異なる使用態様に切り替えて使用することはできない。
【０００５】
そこで、本発明は、多人数で利用するテーブル等に用いる背もたれ付きの椅子において、テーブルの天板下に完全収納できる椅子を提供すること、及び異なる使用態様に切り替えて使用可能な椅子を提供することを目的とする。
【課題を解決するための手段】
【０００６】
本発明に係る椅子は、前記課題解決のために、
座と背もたれとを含む椅子であって、
前記座の後端部と前記背もたれの下端部とを左右方向水平軸まわりに回動可能に連結するヒンジと、
前記背もたれを立てた背もたれ使用形態で、前記背もたれが後方へ倒れるのを防止する倒れ防止ストッパとを備え、
前記背もたれ使用形態と、前記座に前記背もたれが当接するように前記背もたれを前方へ回動させた背もたれ不使用形態とを切り替え可能となしたことを特徴とする。
【０００７】
このような構成によれば、座の後端部と背もたれの下端部とを左右方向水平軸まわりに回動可能に連結するヒンジを備えるとともに、背もたれが後方へ倒れるのを防止する倒れ防止ストッパを備えるので、背もたれを立てた背もたれ使用形態と、背もたれを前方へ回動させた背もたれ不使用形態とを容易かつ迅速に切り替えることができる。
よって、前記背もたれ使用形態にして、会議用テーブルや食堂用テーブル等の多人数で利用するテーブルにおいて背もたれ付きの椅子として使用した後、不使用時には前記背もたれ不使用形態にすることにより、椅子全体をテーブルの天板下に容易かつ迅速に完全収納できる。
【０００８】
椅子全体を天板下に完全収納した状態から取り出して使用する場合、天板下から椅子全体を取り出して背もたれを起こし、背もたれを立てた背もたれ使用形態にすることにより、容易かつ迅速に背もたれ付きの椅子にすることができる。
その上、椅子をテーブルの天板下に収納せずに別の収納スペースに収納する場合であっても、前記背もたれ不使用形態にすれば、背もたれを座に添わせるように前方へ倒し、座の後端部から上方へ突出する背もたれを無くした形態であることから、多くの椅子を上下に重ね合わせるようにスタッキングできるので、収納スペースを最小限に抑えることができる。
【０００９】
ここで、前記ヒンジが、さらに前記背もたれを前記水平軸と直交する直交軸まわりに少なくとも１８０度回動可能に支持する２軸ヒンジであり、
前記背もたれ使用形態で、前記背もたれが前記直交軸まわりに回動するのを防止する回動防止ストッパを備えてなるのが好ましい。
【００１０】
このような構成によれば、背もたれを立てた背もたれ使用形態では、左右方向水平軸と直交する直交軸まわりの背もたれの回動が回動防止ストッパにより防止される。
よって、前記背もたれ使用形態で使用者が背もたれに背をもたれた際に、背もたれが不意に回動することがない。
その上、前記回動防止ストッパを非作動状態にして背もたれを前記直交軸まわりに１８０度回動させることにより、背もたれの前面と後面を入れ替えることができる。
よって、背もたれの前後両面を異なる素材にすることにより、使用者の好みに合わせて背当たり面の素材を選択できる。
【００１１】
また、前記背もたれ使用形態で、前記背もたれの前面をクッション面とし、前記背もたれの後面を平板面としてなるのが一層好ましい。
【００１２】
このような構成によれば、背もたれ使用形態では背もたれ付きの椅子としての使用態様になり、前記２軸ヒンジにより背もたれの前後両面を入れ替えるように背もたれを回動し、背もたれを前方へ回動させた背もたれ不使用形態で、上面をクッション面とすればスツールとしての使用態様に、前記背もたれ不使用形態で上面を平板面とすればテーブルとして使用態様になるので、異なる使用態様に容易に切り替えて使用できる。
【００１３】
本発明に係る椅子は、前記課題解決のために、
脚と座とを含む椅子であって、
前記脚を下面に取り付けた支持部材と、
前記支持部材の周縁側端部に取り付けた２軸ヒンジと、
前記２軸ヒンジに連結した、表裏面の一方がクッション面で他方が平板面である、前記支持部材上に載置した前記座とを備え、
前記２軸ヒンジまわりに前記座を起こして垂直軸まわりに１８０°回動し、前記座を倒して前記支持部材上に載置することにより、前記座の表裏面を入れ替え可能となしたことを特徴する。
【００１４】
このような構成によれば、２軸ヒンジにより座の表裏面を入れ替え、上面をクッション面とすればスツールとしての使用態様に、上面を平板面とすればテーブルとして使用態様になるので、異なる使用態様に容易に切り替えて使用できる。
【発明の効果】
【００１５】
以上のとおり、本発明に係る椅子によれば、主に以下に示すような効果を奏する。
（１）背もたれを立てた背もたれ使用形態と、背もたれを前方へ回動させた背もたれ不使用形態とを容易かつ迅速に切り替えることができるので、不使用時には前記背もたれ不使用形態にすることにより、椅子全体をテーブルの天板下に容易かつ迅速に完全収納できる。
（２）椅子全体を天板下に完全収納した状態から取り出して使用する場合、天板下から椅子全体を取り出して背もたれを起こし、背もたれを立てた背もたれ使用形態にすることにより、容易かつ迅速に背もたれ付きの椅子にすることができる。
（３）椅子をテーブルの天板下に収納せずに別の収納スペースに収納する場合であっても、前記背もたれ不使用形態にすれば、背もたれを座に添わせるように前方へ倒し、座の後端部から上方へ突出する背もたれを無くした形態であることから、多くの椅子を上下に重ね合わせるようにスタッキングできるので、収納スペースを最小限に抑えることができる。
（４）座の後端部と背もたれの下端部とを２軸ヒンジで連結する構成のものでは、背もたれの前後両面を異なる素材にすることにより、使用者の好みに合わせて背当たり面の素材を選択できる。
（５）座の後端部と背もたれの下端部とを２軸ヒンジで連結する構成で、前記背もたれ使用形態で、背もたれの前面をクッション面とし、背もたれの後面を平板面としてなるものでは、背もたれ使用形態では背もたれ付きの椅子としての使用態様になり、前記背もたれ不使用形態で、上面をクッション面とすればスツールとしての使用態様に、上面を平板面とすればテーブルとして使用態様になるので、異なる使用態様に容易に切り替えて使用できる。
（６）支持部材の周縁側端部に取り付けた２軸ヒンジに連結された座の表裏面の一方をクッション面とし、他方を平板面としたものでは、２軸ヒンジにより座の表裏面を入れ替え、上面をクッション面とすればスツールとしての使用態様に、上面を平板面とすればテーブルとして使用態様になるので、異なる使用態様に容易に切り替えて使用できる。
【図面の簡単な説明】
【００１６】
【図１】背もたれ使用形態である実施の形態１に係る椅子の斜視図である。
【図２】同じく部分縦断面正面図である。
【図３】背もたれ不使用形態である実施の形態１に係る椅子の斜視図である。
【図４】同じく部分縦断面正面図である。
【図５】同じく、（ａ）は平面図、（ｂ）は底面図である。
【図６】２軸ヒンジまわりの要部拡大斜視図である。
【図７】倒れ防止ストッパ及び回動防止ストッパの作動状態を示す部分縦断面要部拡大正面図である。
【図８】背もたれをほぼ鉛直に立てた、回動防止ストッパの非作動状態を示す部分縦断面要部拡大正面図である。
【図９】背もたれ不使用形態である実施の形態１に係る椅子の斜視図である。
【図１０】同じく部分縦断面正面図である。
【図１１】背もたれ不使用形態でスタッキングした例を示す斜視図である。
【図１２】実施の形態２に係る椅子の部分縦断面正面図であり、（ａ）はスツールとしての使用態様、（ｂ）はテーブルとしての使用態様を示している。
【発明を実施するための形態】
【００１７】
次に、添付図面に示した実施形態に基づき、本発明を更に詳細に説明する。
本明細書においては、使用者が椅子に座った状態を基準として前後左右を定義し、左方から見た図を正面図とする。
【００１８】
実施の形態１．
＜背もたれ付きの椅子＞
図１の斜視図及び図２の部分縦断面正面図に示す、本発明の実施の形態１に係る椅子１は、床面等に下面が接地する脚２、脚２の上面に下面３Ｂを当接させた状態で、脚２の上端水平部に固定された座３、及び、座３の後端部３Ｃと２軸ヒンジ５を介して下端部４Ｃが連結された背もたれ４を含む背もたれ付きの椅子である。
よって、図１の斜視図及び図２の部分縦断面正面図に示す背もたれ４を立てた背もたれ使用形態Ａから、背もたれ４を前方へ回動させることにより、図３の斜視図及び図４の部分縦断面正面図、並びに図５（ａ）の平面図及び図５（ｂ）の底面図に示す、座３に背もたれ４が当接するように背もたれ４を前方へ回動させた背もたれ不使用形態Ｂにすることができる。
【００１９】
ここで、脚２は、例えば鋼等の金属製のパイプ材の折り曲げ加工等により製造され、下端部には、合成樹脂製のキャップ部材が装着される。
また、座３の座面３Ａ及び背もたれ４の前面（背当たり面）４Ａは、使用者が疲れにくいように、例えばウレタン等のクッション材を張り生地で被って形成したクッション面Ｃであり、座３の下面３Ｂ及び背もたれ４の後面４Ｂは、例えば合成樹脂又は化粧合板等で形成された平板面Ｄである。
なお、図中に二点鎖線で示す左右のカバー１８Ｌ，１８Ｒは、２軸ヒンジ５の左右を被う、例えば合成樹脂製のカバーである。カバー１８Ｌ，１８Ｒは、背もたれ４の前記前方への回動や、後述する左右方向水平軸と直交する直交軸まわりの背もたれ４の回動の際に、背もたれ４と干渉しない形状に設計される。
【００２０】
＜２軸ヒンジ＞
図６の要部拡大斜視図に示すように、２軸ヒンジ５は、固定側である左右のブラケット６，７に対して第１回動体１１が左右方向水平軸Ｈまわりに回動し（図中矢印Ｅ１参照）、第１回動体１１に対して第２回動体１２が水平軸Ｈと直交する直交軸Ｖまわりに少なくとも１８０度回動するものである（図中矢印Ｅ２参照）。
【００２１】
図５（ａ）の平面図、図６の要部拡大斜視図及び図７の部分縦断面要部拡大正面図に示すように、２軸ヒンジ５は、左右のブラケット６，７の通孔６Ａ，７Ａ，…になべねじ８，８，…を挿通して座３に螺着することにより、座３の後端部３Ｃに固定される。
また、第２回動体１２の先端部のねじ部１２Ａを取付板１０中央の角孔１０Ａに挿通してナット１３，１４を螺合することにより、ダブルナットで緩み止めされた状態で、第２回動体１２に取付板１０が固定される。
さらに、取付板１０の皿孔１０Ｂ，１０Ｂ，…に皿ねじ９，９，…を挿通して背もたれ４に螺着することにより、２軸ヒンジ５の第２回動体１２が背もたれ４の下端部４Ｃに固定される。
ここで、２軸ヒンジ５の主な構成部品、及び取付板１０は、強度及び耐久性を確保するために、例えば鋼等の金属製である。
【００２２】
＜倒れ防止ストッパ＞
図６の要部拡大斜視図に示す左右の当止片１５，１５は、左右のブラケット６，７に固定されており、左右の回動片１６，１６は、第１回動体１１とともに左右方向水平軸Ｈまわりに回動する。
図７の部分縦断面要部拡大正面図に示す背もたれ使用形態Ａでは、回動片１６が当止片１５に当止され、回動片１６及び第１回動体１１の後方への回動が阻止されるので、背もたれ４が左右方向水平軸Ｈまわりに後方へ倒れるのを防止できる。
よって、当止片１５及び回動片１６は、背もたれ４を立てた背もたれ使用形態Ａで、背もたれ４が後方へ倒れるのを防止する倒れ防止ストッパＳ１として機能する。
【００２３】
また、図６の要部拡大斜視図及び図７の部分縦断面要部拡大正面図に示す左右のブラケット６，７の後端上部には、当止片１７Ｌ，１７Ｒが突設されている。
図７の部分縦断面要部拡大正面図に示す背もたれ使用形態Ａでは、背もたれ４下端の取付板１０の後端面が当止片１７Ｌ，１７Ｒに当止されるので、背もたれ４が左右方向水平軸Ｈまわりに後方へ倒れるのを防止できる。
よって、当止片１７Ｌ，１７Ｒ及び取付板１０は、背もたれ４を立てた背もたれ使用形態Ａで、背もたれ４が後方へ倒れるのを防止する倒れ防止ストッパＳ１として機能する。
【００２４】
＜回動防止ストッパ＞
背もたれ４を立てた背もたれ使用形態Ａでは、前記のとおり取付板１０の後端面が左右の当止片１７Ｌ，１７Ｒに当止されているので、取付板１０及び第２回動体１２が垂直軸Ｖまわりに回動するのを防止できる。
よって、当止片１７Ｌ，１７Ｒ及び取付板１０は、背もたれ４を立てた背もたれ使用形態Ａで、背もたれ４が直交軸Ｖまわりに回動するのを防止する回動防止ストッパＳ２として機能する。
回動防止ストッパＳ２の作動状態では、使用者が背もたれ４に背をもたれた際に、背もたれ４が不意に回動することがない。
【００２５】
以上のような構成の倒れ防止ストッパＳ１及び回動防止ストッパＳ２において、当止片１７Ｌ，１７Ｒ及び取付板１０は、倒れ防止ストッパＳ１及び回動防止ストッパＳ２の両方の機能を有する。
よって、２軸ヒンジ５を用いた背もたれ付きの椅子１に、倒れ防止ストッパＳ１及び回動防止ストッパＳ２を備える構成として、当止片１７Ｌ，１７Ｒ及び取付板１０のみとして、倒れ防止ストッパＳ１として機能する当止片１５及び回動片１６を無くしてもよい。
【００２６】
＜背もたれの前後面の入れ替え＞
図８の部分縦断面要部拡大正面図に示すように背もたれ４を左右方向水平軸Ｈまわりに前方へ少し回動させ、背もたれ４をほぼ鉛直に立てた形態では、取付板１０は、当止片１７Ｌ，１７Ｒから前方へ離間し、当止片１７Ｌ，１７Ｒの上端よりも高い位置にある。
よって、この形態では、回動防止ストッパＳ２は非作動状態になっており、背もたれ４を、ほぼ鉛直になっている直交軸Ｖまわりに回動できる。
【００２７】
例えば、図８の形態で、背もたれ４を、ほぼ鉛直になっている直交軸Ｖまわりに１８０度回動させることにより、背もたれ４の前面４Ａと後面４Ｂを入れ替えることができる。
このように背もたれ４を回動して背もたれ４の前後面の入れ替えを行った形態では、背もたれ４の前面に前記回動前の後面４Ｂが位置し、背もたれ４の後面に前記回動前の前面４Ａが位置する。
この形態から、背もたれ４を左右方向軸Ｈまわりに前方へ回動させた背もたれ不使用形態Ｂを、図９の斜視図及び図１０の部分縦断面正面図に示す。
【００２８】
＜スツール又はテーブルとしての使用態様＞
図９及び図１０の背もたれ不使用形態Ｂでは、上面がクッション面Ｃであるので、スツールとしての使用態様になる。
それに対して、図３及び図４の背もたれ不使用形態Ｂでは、上面が平板面Ｄであるので、テーブルとしての使用態様になる。
【００２９】
＜スタッキング収納＞
また、背もたれ付きの椅子１をテーブルの天板下に収納せずに別の収納スペースに収納する場合には、図９の背もたれ不使用形態Ｂにすれば、背もたれ４を座３に添わせるように前方へ倒し、座３の後端部から上方へ突出する背もたれ４を無くした形態で、図１１の斜視図に示すように椅子１，１を上下に重ね合わせることができ、順次多くの椅子１，１，…を上下に重ね合わせるようにスタッキングできるので、収納スペースを最小限に抑えることができる。
なお、図３の背もたれ不使用形態Ｂであっても、同様のスタッキングが可能である。
【００３０】
＜作用効果＞
以上のような椅子１の構成によれば、座３の後端部３Ｃと背もたれ４の下端部４Ｃとを左右方向水平軸Ｈまわりに回動可能に連結するヒンジ５を備えるとともに、背もたれ４が後方へ倒れるのを防止する倒れ防止ストッパＳ１を備えるので、背もたれ４を立てた背もたれ使用形態Ａと、背もたれ４を前方へ回動させた背もたれ不使用形態Ｂとを容易かつ迅速に切り替えることができる。
よって、背もたれ使用形態Ａにして、会議用テーブルや食堂用テーブル等の多人数で利用するテーブルにおいて背もたれ付きの椅子１として使用した後、不使用時には背もたれ不使用形態Ｂにすることにより、椅子全体をテーブルの天板下に容易かつ迅速に完全収納できる。
椅子全体を天板下に収納した状態から取り出して使用する場合、天板下から椅子全体を取り出して背もたれ４を起こし、背もたれ４を立てた背もたれ使用形態Ａにすることにより、容易かつ迅速に背もたれ付きの椅子１にすることができる。
【００３１】
また、座３の後端部３Ｃと背もたれ４の下端部４Ｃとを左右方向水平軸Ｈまわりに回動可能に連結するヒンジ５は、さらに背もたれ４を左右方向水平軸Ｈと直交する直交軸Ｖまわりに少なくとも１８０度回動可能に支持する２軸ヒンジであるので、回動防止ストッパＳ２を非作動状態にして背もたれ４を直交軸Ｖまわりに１８０度回動させることにより、前記のとおり、背もたれ４の前面４Ａと後面４Ｂを入れ替えることができる。
よって、背もたれ４の前後両面４Ａ，４Ｂを異なる素材にすることにより、使用者の好みに合わせて背当たり面の素材を選択できる。
【００３２】
実施の形態２．
実施の形態１の２軸ヒンジ５は、倒れ防止ストッパＳ１及び回動防止ストッパＳ２を備えることにより、背もたれ付きの椅子１を構成可能にしたものである。
それに対して、図１２（ａ）及び図１２（ｂ）の部分縦断面正面図に示す本発明の実施の形態２に係る椅子１Ａは、背もたれ付きの椅子としての使用態様は無いので、２軸ヒンジ５Ａは、倒れ防止ストッパＳ１及び回動防止ストッパＳ２を備えていない。
【００３３】
椅子１Ａは、脚２を下面１９Ｂに取り付けた支持部材１９、支持部材１９の周縁側端部に取り付けた２軸ヒンジ５Ａ、２軸ヒンジ５Ａに連結した、表裏面の一方がクッション面Ｃで他方が平板面Ｄである、支持部材１９の上面１９Ａ上に載置した座２０を含む。
よって、２軸ヒンジ５Ａの水平軸Ｈまわりに座２０を起こして垂直軸Ｖまわりに１８０°回動し、座２０を水平軸Ｈまわりに倒して支持部材１９上に載置することにより、座２０の表裏面を入れ替え可能に構成している。
なお、支持部材１９は、図１２（ａ）及び（ｂ）のようなプレート状のものではなく、フレーム状のもの等であってもよい。
【００３４】
＜スツール又はテーブルとしての使用態様＞
２軸ヒンジ５Ａを備えた構成により、図１２（ａ）に示すようにクッション面Ｃである座面２０Ａを上面にしたスツールとしての使用態様と、図１２（ｂ）に示すように平板面Ｄである天板面２０Ｂを上面にしたテーブルをしての使用態様を切り替えることができる。
【００３５】
＜作用効果＞
以上のとおり、実施の形態１の椅子１では、背もたれ使用形態Ａでは背もたれ付きの椅子としての使用態様になり、２軸ヒンジ５により背もたれ４の前後両面を入れ替えるように背もたれ４を回動し、背もたれ４を前方へ回動させた背もたれ不使用形態で、上面をクッション面Ｃとすればスツールとしての使用態様に、前記背もたれ不使用形態で上面を平板面Ｄとすればテーブルとして使用態様になるので、異なる使用態様に容易に切り替えて使用できる。
また、実施の形態２の椅子１Ａでは、２軸ヒンジ５Ａにより座２０の表裏面を入れ替え、上面をクッション面Ｃとすればスツールとしての使用態様に、上面を平板面Ｄとすればテーブルとして使用態様になるので、異なる使用態様に容易に切り替えて使用できる。
よって、同じ家具で、様々な使用態様に容易に切り替えて使用できることから、同じ家具を複数配置するだけで、それらの様々な使用態様を使い分けることにより、統一されたデザインで様々な空間の使い方ができる。
【符号の説明】
【００３６】
１，１Ａ  椅子
２  脚
３  座
３Ａ  座面
３Ｂ  下面
３Ｃ  後端部
４  背もたれ
４Ａ  前面（背当たり面）
４Ｂ  後面
４Ｃ  下端部
５，５Ａ  ２軸ヒンジ
６，７  ブラケット
６Ａ，７Ａ  通孔
８  なべねじ
９  皿ねじ
１０  取付板
１０Ａ  角孔
１０Ｂ  皿孔
１１  第１回動体
１２  第２回動体
１２Ａ  ねじ部
１３，１４  ナット
１５  当止片
１６  回動片
１７Ｌ，１７Ｒ  当止片
１８Ｌ，１８Ｒ  カバー
１９  支持板
１９Ａ  上面
１９Ｂ  下面
２０  座
２０Ａ  座面
２０Ｂ  天板面
Ａ  背もたれ使用形態
Ｂ  背もたれ不使用形態
Ｃ  クッション面
Ｄ  平板面
Ｅ１，Ｅ２  回動方向
Ｈ  水平軸
Ｓ１  倒れ防止ストッパ
Ｓ２  回動防止ストッパ
Ｖ  直交軸（垂直軸）
【図１】
2018023633.tif 000003
【図２】
2018023633.tif 000004
【図３】
2018023633.tif 000005
【図４】
2018023633.tif 000006
【図５】
2018023633.tif 000007
【図６】
2018023633.tif 000008
【図７】
2018023633.tif 000009
【図８】
2018023633.tif 000010
【図９】
2018023633.tif 000011
【図１０】
2018023633.tif 000012
【図１１】
2018023633.tif 000013
【図１２】
2018023633.tif 000014